(57)【要約】【課題】複数部数の印刷時、ユーザが望む中止処理が印刷処理装置に対して指示可能とする。【解決手段】複数種類のプリントジョブを受付可能な印刷装置を有する印刷システムにおけるジョブ処理方法であって、印刷装置による印刷対象のプリントジョブの印刷中止要求をユーザインタフェース手段を介してユーザから受付可能とし、印刷中止対象のプリントジョブが複数部数の印刷を要するプリントジョブである場合、印刷装置にて実行可能な複数種類の印刷中止処理方法のうちの前記ユーザインタフェース手段を介して入力されたユーザからの要求に基づいた印刷中止処理方法で、プリントジョブの印刷中止処理を印刷装置により実行可能とするジョブ処理方法。【選択図】図１
2007102496.tif 000002
【特許請求の範囲】
【請求項１】
複数種類のプリントジョブを受付可能な印刷装置を有する印刷システムにおけるジョブ処理方法であって、
前記印刷装置による印刷対象のプリントジョブの印刷中止要求をユーザインタフェース手段を介してユーザから受付可能とし、
前記印刷中止対象のプリントジョブが複数部数の印刷を要するプリントジョブである場合、前記印刷装置にて実行可能な複数種類の印刷中止処理方法のうちの前記ユーザインタフェース手段を介して入力された前記ユーザからの要求に基づいた印刷中止処理方法で、前記プリントジョブの印刷中止処理を前記印刷装置により実行可能とする、ことを特徴とするジョブ処理方法。
【請求項２】
複数種類のプリントジョブを受付可能な印刷装置を有する印刷システムにおけるジョブ処理方法であって、
前記印刷装置による印刷対象のプリントジョブの印刷中止要求をユーザインタフェース手段を介してユーザから受付可能とし、
前記印刷中止対象のプリントジョブが複数部数の印刷を要するプリントジョブである場合、前記印刷装置にて実行可能な複数種類の印刷中止処理方法のうちの前記ユーザインタフェース手段を介して入力された前記ユーザからの要求に基づいた印刷中止処理方法でもって、前記プリントジョブの印刷中止処理を前記印刷装置により実行可能とし、
前記印刷中止対象のプリントジョブが複数部数の印刷が不要なプリントジョブである場合、前記ユーザインタフェース手段にて印刷中止処理方法を前記ユーザが選択すること無しに、前記複数種類の印刷処理方法のうちの所定の印刷中止処理方法で前記プリントジョブの印刷中止処理を前記印刷装置により実行可能とする、ことを特徴とするジョブ処理方法。
【請求項３】
複数種類のプリントジョブを受付可能な印刷装置と、前記印刷装置からのシートに対するシート処理を実行可能なシート処理装置と、を具備する印刷システムにおけるジョブ処理方法であって、
前記印刷装置による印刷対象のプリントジョブの印刷中止要求をユーザインタフェース手段を介してユーザから受付可能とし、
前記印刷中止対象のプリントジョブが複数部数の印刷を要するプリントジョブである場合、前記プリントジョブが前記シート処理装置による所定種類のシート処理を要するプリントジョブであっても、前記シート処理装置による前記所定種類のシート処理が不要なプリントジョブであっても、前記印刷装置にて実行可能な複数種類の印刷中止処理方法のうちの前記ユーザインタフェース手段を介して入力された前記ユーザからの要求に基づいた印刷中止処理方法で、前記プリントジョブの印刷中止処理を前記印刷装置により実行可能とする、ことを特徴とするジョブ処理方法。
【請求項４】
複数種類のプリントジョブを受付可能な印刷装置と、前記印刷装置からのシートに対するシート処理を実行可能なシート処理装置と、を具備する印刷システムにおけるジョブ処理方法であって、
前記印刷装置による印刷対象のプリントジョブの印刷中止要求をユーザインタフェース手段を介してユーザから受付可能とし、
前記印刷中止対象のプリントジョブが複数部数の印刷を要するプリントジョブである場合、前記プリントジョブが前記シート処理装置による所定種類のシート処理を要するプリントジョブであっても、前記シート処理装置による前記所定種類のシート処理が不要なプリントジョブであっても、前記印刷装置にて実行可能な複数種類の印刷中止処理方法のうちの前記ユーザインタフェース手段を介して入力された前記ユーザからの要求に基づいた印刷中止処理方法で、前記プリントジョブの印刷中止処理を前記印刷装置により実行可能とすると共に、
前記印刷中止対象のプリントジョブが複数部数の印刷が不要なプリントジョブである場合、前記プリントジョブが前記シート処理装置による所定種類のシート処理を要するプリントジョブであっても、前記シート処理装置による前記所定種類のシート処理が不要なプリントジョブであっても、前記ユーザインタフェース手段にて印刷中止処理方法を前記ユーザが選択すること無しに、前記複数種類の印刷処理方法のうちの所定の印刷中止処理方法でもって、前記プリントジョブの印刷中止処理を前記印刷装置により実行可能とする、ことを特徴とするジョブ処理方法。
【請求項５】
前記所定種類のシート処理は、ステイプル、パンチ、製本、折り、糊付け、断裁、の少なくとも何れかを含む前記印刷システムが具備する前記シート処理装置により実行可能なシート処理の少なくとも何れかである、ことを特徴とする請求項３又は４記載のジョブ処理方法。
【請求項６】
前記複数種類の印刷中止処理方法は、
前記印刷中止要求を前記ユーザインタフェース手段を介してユーザにより入力された際に前記印刷装置により印刷中の頁を前記印刷装置により印刷させた時点で前記ジョブの印刷を中止させる第１の方法、
前記印刷中止要求を前記ユーザインタフェース手段を介してユーザにより入力された際に前記印刷装置により印刷中の頁が属する部の印刷を前記印刷装置により実行後に前記プリントジョブの印刷を中止させる第２の方法、および
前記ユーザインタフェース手段を介してユーザにより入力された指定部数分の印刷を前記印刷装置により実行させた時点で、前記プリントジョブの印刷を中止させる第３の方法、のうちの少なくとも何れかの方法が含まれる、ことを特徴とする請求項１乃至５の何れかに記載のジョブ処理方法。
【請求項７】
前記印刷装置は、原稿読取手段からの前記プリントジョブ、および外部装置からの前記プリントジョブの、少なくとも何れかの前記プリントジョブを受付可能であって、
前記印刷中止対象のプリントジョブが複数部数の印刷を要するプリントジョブである場合、前記印刷中止要求を前記ユーザから受付可能な前記印刷装置が具備するユーザインタフェース手段を介して入力された前記ユーザからの要求に基づいた印刷中止処理方法で、前記プリントジョブの印刷中止処理を前記印刷装置により実行可能とする、ことを特徴とする請求項１乃至６の何れかに記載のジョブ処理方法。
【請求項８】
前記印刷装置は、原稿読取手段からの前記プリントジョブ、及び外部装置からの前記プリントジョブの、少なくとも何れかの前記プリントジョブを受付可能とし、
前記印刷中止対象のプリントジョブが複数部数の印刷を要するプリントジョブである場合、前記印刷中止要求を前記ユーザから受付可能な前記外部装置が具備するユーザインタフェース手段を介して入力された前記ユーザからの要求に基づいた印刷中止処理方法で、前記プリントジョブの印刷中止処理を前記印刷装置により実行可能とする、ことを特徴とする請求項１乃至７の何れかに記載のジョブ処理方法。
【請求項９】
前記印刷装置は、印刷処理を指示することが可能な操作部と、前記操作部に関連させた表示部と、を具備し、
前記ジョブ処理方法は、複数部数の印刷処理中に前記操作部からの印刷処理の中止の指示に従い前記表示部に複数種類の中止処理を表示させ、前記表示部に表示された前記プリンタ部に対する複数種類の中止処理を選択可能に制御する、ことを特徴とする請求項１乃至８の何れかに記載のジョブ処理方法。
【請求項１０】
複数部数の印刷処理中に前記操作部からの印刷処理の中止の指示を受けたとき、あらかじめ指定されている部数を前記操作部からの入力により変更して前記印刷装置を制御する、ことを特徴とする請求項９記載のジョブ処理方法。
【請求項１１】
複数部数の印刷処理中に前記操作部からの印刷処理の中止の指示を受けたとき、前記表示部に選択可能な複数種類の中止処理を表示させると共に、部間のタイミングで前記印刷装置における印刷動作を一時停止する様に制御する、ことを特徴とする請求項９または１０記載のジョブ処理方法。
【請求項１２】
前記複数種類の中止処理は、部間の中止処理、及び即時の中止処理を含む、ことを特徴とする請求項９〜１１のいずれか１つに記載のジョブ処理方法。
【請求項１３】
前記印刷装置は後処理部を具備し、
前記印刷装置が具備するプリンタ部のみならず、前記後処理部に対しても中止処理を制御する、ことを特徴とする請求項９〜１２の何れかに記載のジョブ処理方法。
【請求項１４】
前記印刷中止対象のプリントジョブが複数部数の印刷を要するプリントジョブであり、且つ前記印刷中止要求が前記ユーザインタフェース手段を介して前記ユーザにより入力された場合、前記印刷装置にて実行可能な前記複数種類の印刷中止処理方法に対応する複数の選択候補を前記ユーザインタフェース手段を介して前記ユーザに提示させ、
提示した前記複数の選択候補の中から選択された候補に対応する印刷中止処理方法でもって、前記プリントジョブの印刷中止処理を前記印刷装置により実行可能とする、ことを特徴とする請求項１乃至１３の何れかに記載のジョブ処理方法。
【請求項１５】
前記印刷中止対象のプリントジョブが、複数部数の印刷が不要なプリントジョブである場合で且つ前記印刷中止要求が前記ユーザインタフェース手段を介して前記ユーザにより入力された場合、前記印刷装置にて実行可能な前記複数種類の印刷中止処理方法に対応する複数の選択候補を前記ユーザインタフェース手段で提示させる事なしに前記複数種類の印刷処理方法のうちの所定の印刷中止処理方法で、前記プリントジョブの印刷中止処理を前記印刷装置により実行可能とする、ことを特徴とする請求項１乃至１４の何れかに記載のジョブ処理方法。
【請求項１６】
請求項１〜１５の何れかに記載のジョブ処理方法を実行する為の印刷システム。
【請求項１７】
請求項１〜１５の何れかに記載のジョブ処理方法を実行する為の印刷装置。
【請求項１８】
請求項１〜１５の何れかに記載のジョブ処理方法を実行する為のコンピュータ読取可能な記憶媒体。
【請求項１９】
請求項１〜１５の何れかに記載のジョブ処理方法をコンピュータに実行させる為のコンピュータプログラム。
【発明の詳細な説明】
【技術分野】
【０００１】
本発明は、例えば、複数部数の印刷処理を実行可能な印刷装置及びジョブ処理方法、印刷システム、記憶媒体、及びプログラムに関するものである。
【背景技術】
【０００２】
プリンタや複写機、ファクシミリ等の印刷装置において、印刷処理中にオペレータにより中止キーが押されると、即時に、あるいはできるだけ早いタイミングで印刷処理が中止されるのが一般的である。ここで、印刷される対象は、文章、写真、コンピュータグラフィック画像及びそれらが適宜組み合わされたものを含み、ここでは、それらを総称して画像、印刷画像とする。例えば、複数枚数の画像印刷の処理中であれば、中止キーが押下された後においては、給紙の処理および画像印刷の処理が中断される。また、すでに給紙トレイ中断停止され、給紙された印刷用紙は速やかに排紙トレイに排出される。また近年では、部と呼ばれる複数枚数のまとまりである部数に従って画像の印刷をした後、部単位でステイプルを施すことのできる機能を有するフィニッシャを備えた画像印刷装置も実用化されている。この部数印刷の画像印刷の処理中に中止キーが押下された場合は、部を構成する全ての画像の画像印刷の処理されないため、ステイプル処理も中止されるのが一般的である。
【０００３】
また、ステイプル処理が中止されることによって、画像印刷済みの印刷用紙がフィニッシャ内に残ってしまう等の問題なくす必要がある。そのために、複数部数の画像印刷の処理中に中止キーが押下された場合には、部の切れ目で中止処理が実行される技術も提案されている（特許文献１参照）。
【特許文献１】米国特許公報第５７７１１０３号
【発明の開示】
【発明が解決しようとする課題】
【０００４】
しかしながら、オペレータが中止キーを押下する理由は状況によって様々であり、場合によっては、従来の技術ではオペレータの満足を得ることが困難な場合が予想される。例えば、オペレータが複数部印刷のジョブを画像印刷装置に要求した直後に、その複数部印刷のジョブによる画像印刷が不要になり、中止キーが押下される状況を想定する。このときに望まれる中止処理は、即時の印刷中止処理である可能性が高いと考える。
【０００５】
一方、配布資料など人数分の部数印刷ジョブによる画像印刷の処理している際、打ち合わせの開始時間が迫り、オペレータの時間的都合により中止キーが押下される状況を想定する。このときオペレータが望む中止処理は、部単位のまとまりまで画像印刷する部の切れ目で実行される中止処理である可能性が高いと考える。
【０００６】
また、上述の中止処理において、オペレータは、可能な限り早いタイミングの部の切れ目で実行される中止処理だけを望むものではない。さらに、いくつかの部数を画像印刷した後に実行されるような中止指示、あるいは予め設定されていた部数の変更を可能にすることが出来れば、オペレータの利便性を向上させることができると考える。
【０００７】
又、上記の先行技術のような構成を検討してみても、やはり以下のような懸念事項があると考える。
【０００８】
例えば、先行技術の構成では、印刷中止が望まれるジョブが、印刷開始前にユーザによりステイプルジョブ等の所定の印刷条件がセットされているか否かの判定結果次第で、このジョブの印刷中止の方法が固定的に決定されてしまう。換言すると、印刷中止が望まれるジョブが、印刷中止を望むユーザの意思を反映しない間接的要因に基き、印刷装置の独断で勝手にこのジョブの印刷中止の仕方が決定されてしまう。このような構成では、やはり、印刷中止を望むユーザの意思を反映した印刷中止方法で印刷を中止させる事が困難である。即ち、前述した印刷中止を望むユーザの各種ニーズに対する対処が困難である。
【０００９】
このような各種状況に鑑み、プリントジョブの印刷中止要求に関わる様々なユーザからの様々なニーズに対して、装置の利用環境等を念頭に入れつつ、柔軟に対応できる事が望ましいと考える。且つ、その際に、使い勝手の良い、便利な印刷環境を構築できるようにすることが望ましいと考える。
【００１０】
したがって、本発明は、プリントジョブの印刷中止要求に関わる様々なユーザからのニーズに対して、印刷装置の利用環境等を加味しながら柔軟に対応でき、使い勝手の良い便利な印刷環境を提供することを目的とする。
【課題を解決するための手段】
【００１１】
本発明の実施形態に係る発明は、複数種類のプリントジョブを受付可能な印刷装置を有する印刷システムにおけるジョブ処理方法であって、印刷装置による印刷対象のプリントジョブの印刷中止要求をユーザインタフェース手段を介してユーザから受付可能とし、印刷中止対象のプリントジョブが複数部数の印刷を要するプリントジョブである場合、印刷装置にて実行可能な複数種類の印刷中止処理方法のうちのユーザインタフェース手段を介して入力された前記ユーザからの要求に基づいた印刷中止処理方法で、プリントジョブの印刷中止処理を印刷装置により実行可能とするジョブ処理方法を提供する。
【００１２】
本発明の他の実施形態に係る発明は、複数種類のプリントジョブを受付可能な印刷装置を有する印刷システムにおけるジョブ処理方法であって、印刷装置による印刷対象のプリントジョブの印刷中止要求をユーザインタフェース手段を介してユーザから受付可能とし、印刷中止対象のプリントジョブが複数部数の印刷を要するプリントジョブである場合、印刷装置にて実行可能な複数種類の印刷中止処理方法のうちのユーザインタフェース手段を介して入力されたユーザからの要求に基づいた印刷中止処理方法でもって、プリントジョブの印刷中止処理を印刷装置により実行可能とし、印刷中止対象のプリントジョブが複数部数の印刷が不要なプリントジョブである場合、ユーザインタフェース手段にて印刷中止処理方法を前記ユーザが選択すること無しに、複数種類の印刷処理方法のうちの所定の印刷中止処理方法で前記プリントジョブの印刷中止処理を印刷装置により実行可能とするジョブ処理方法を提供する。
【００１３】
本発明のさらに他の実施形態に係る発明は、複数種類のプリントジョブを受付可能な印刷装置と、前記印刷装置からのシートに対するシート処理を実行可能なシート処理装置と、を具備する印刷システムにおけるジョブ処理方法であって、印刷装置による印刷対象のプリントジョブの印刷中止要求をユーザインタフェース手段を介してユーザから受付可能とし、印刷中止対象のプリントジョブが複数部数の印刷を要するプリントジョブである場合、プリントジョブが前記シート処理装置による所定種類のシート処理を要するプリントジョブであっても、シート処理装置による前記所定種類のシート処理が不要なプリントジョブであっても、印刷装置にて実行可能な複数種類の印刷中止処理方法のうちのユーザインタフェース手段を介して入力されたユーザからの要求に基づいた印刷中止処理方法で、プリントジョブの印刷中止処理を印刷装置により実行可能とするジョブ処理方法を提供する。
【００１４】
本発明のさらに他の実施形態に係る発明は、複数種類のプリントジョブを受付可能な印刷装置と、前記印刷装置からのシートに対するシート処理を実行可能なシート処理装置と、を具備する印刷システムにおけるジョブ処理方法であって、印刷装置による印刷対象のプリントジョブの印刷中止要求をユーザインタフェース手段を介してユーザから受付可能とし、印刷中止対象のプリントジョブが複数部数の印刷を要するプリントジョブである場合、プリントジョブがシート処理装置による所定種類のシート処理を要するプリントジョブであっても、シート処理装置による所定種類のシート処理が不要なプリントジョブであっても印刷装置にて実行可能な複数種類の印刷中止処理方法のうちのユーザインタフェース手段を介して入力されたユーザからの要求に基づいた印刷中止処理方法で、プリントジョブの印刷中止処理を印刷装置により実行可能とすると共に、印刷中止対象のプリントジョブが複数部数の印刷が不要なプリントジョブである場合、プリントジョブがシート処理装置による所定種類のシート処理を要するプリントジョブであっても、シート処理装置による所定種類のシート処理が不要なプリントジョブであっても、ユーザインタフェース手段にて印刷中止処理方法をユーザが選択すること無しに、複数種類の印刷処理方法のうちの所定の印刷中止処理方法でもって、プリントジョブの印刷中止処理を前記印刷装置により実行可能とするジョブ処理方法を提供する。
【００１５】
また、本発明のさらに他の実施形態に係る発明は、本発明の実施形態のジョブ処理方法を実行する為の印刷システムを提供する。
【００１６】
本発明のさらに他の実施形態に係る発明は、本発明の実施形態のジョブ処理方法を実行する為の印刷装置を提供する。
【００１７】
本発明のさらに他の実施形態に係る発明は、本発明の実施形態のジョブ処理方法を実行する為のコンピュータ読取可能な記憶媒体を提供する。
【００１８】
本発明のさらに他の実施形態に係る発明は、本発明の実施形態のジョブ処理方法をコンピュータに実行させる為のコンピュータプログラムを提供する。
【発明の効果】
【００１９】
本発明により、従来で想定したような状況ににおけるプリントジョブの印刷中止要求に関わる様々なユーザからのニーズに対して、印刷装置の利用環境等を加味しながら柔軟に対応でき、使い勝手の良い便利な印刷環境を構築できる。
【発明を実施するための最良の形態】
【００２０】
＜実施の形態１＞
先ず、図１を用いて印刷装置の一例としてのＭＦＰ（Multi Function Peripheral:多機能周辺機器）の構成について説明する。尚、図１には示さないが、本実施形態の印刷システムは、この印刷装置とデータ通信可能なホストコンピュータ等の外部装置も具備する。又、図１の後処理部１８は、本実施形態では、プリンタ部１７からのシートに対するシート処理を実行する装置であるが故に、シート処理装置とも呼ぶ。又、前記の後処理部１８は本印刷装置自身が具備する装置でも良い。また、本印刷装置のオプション装置として、前記の印刷装置に接続可能なタイプのシート処理装置でも良い。このように本実施形態のシステム構成は適宜変形可能とする。
【００２１】
同図において、入力画像処理部１１は、紙原稿などをスキャナなどの画像読み取り装置で読み取り、読み取られた画像データのデータ処理をする。ＮＩＣ（Network Interface Card）部１２は、ネットワークを利用して入力された画像データ（主に、ＰＤＬ（Page Description Language）データ）をＲＩＰ（Raster Image Processor）部１９に渡したり、ＭＦＰの内部の画像データや装置情報を必要に応じてネットワーク経由で外部に送信する。ＲＩＰ部１９は、入力されたＰＤＬデータを解読し、ラスター形式の画像データに展開する機能を有する。
【００２２】
次に、入力画像処理部１１、もしくは、ＮＩＣ部１２を介して入力された画像データは、ＭＦＰ制御部１４に送られる。ＭＦＰ制御部１４は、入力された画像データや出力する画像データを制御する交通整理の役割を果たしている。また、ＭＦＰ制御部１４に入力された画像データは、一旦メモリ部１５に格納される。格納された画像データは、メモリ部１５に一時的に格納されたり、また、必要に応じてメモリ部１５から呼び出される。
【００２３】
出力画像処理部１６は、印刷するための画像処理が施され、プリンタ部１７に送られる。プリンタ部１７では、印刷用紙を給紙し、出力画像処理部１６で生成された画像データをその印刷用紙上に順次印刷していく。印刷された印刷用紙は、後処理部１８へ送り込まれ、印刷用紙の仕分け処理や、印刷用紙の仕上げ処理が行われる。
【００２４】
また、操作部１３は、上記する様々な各処理や機能を選択したり、指示したりするための入力装置である。さらに、操作部１３に設けた表示装置の高解像度化に伴い、メモリ部１５にある画像データをプレビューし、画像データ確認後、問題なければ印刷する様な使い方も可能である。このように、ＭＦＰには様々な機能と利用方法があり、以下にそのいくつかの例を示す。
【００２５】
Ａ）複写機能                  ：入力画像処理部１１→出力画像処理部１６→プリンタ部１７。
【００２６】
Ｂ）ネットワークスキャン機能  ：入力画像処理部１１→ＮＩＣ部１２。
【００２７】
Ｃ）ネットワーク印刷機能      ：ＮＩＣ部１２→ＲＩＰ部１９→出力画像処理部１６→プリンタ部１７。
【００２８】
Ｄ）ボックススキャン機能      ：入力画像処理部１１→出力画像処理部１６→メモリ部１５。
【００２９】
Ｅ）ボックスプリント機能      ：メモリ部１５→プリンタ部１７。
【００３０】
Ｆ）ボックス受信機能          ：ＮＩＣ部１２→ＲＩＰ部１９→出力画像処理部１６→メモリ部１５。
【００３１】
Ｇ）ボックス送信機能          ：メモリ部１５→ＮＩＣ部１２。
【００３２】
Ｈ）プレビュー機能            ：メモリ部１５→操作部１３。
【００３３】
図２を用いて、上述するような各機能を制御するＭＦＰ制御部１４について説明する。図２に示すＭＦＰ制御部１４は、大きく分けて４つの部分から成っている。すなわち、入力デバイスを管理する入力デバイス管理部２１、入力されたジョブを解釈する入力ジョブ制御部２２、入力されたジョブの設定情報を整理する出力ジョブ制御部２３、そして出力デバイスを割り当てる出力デバイス管理部２４である。
【００３４】
入力デバイス管理部２１は、図１における各入力部からの入力信号を整理したり、切り替えの順序を決定したりする役割を果たす。ここには、入力デバイス制御部２１−１が存在する。また、インターフェースを介して送られてくる入力画像信号としては、紙原稿のスキャン画像データや、ネットワークを介して伝送されたＰＤＬ画像データといったＭＦＰの外部から入力された画像信号がある。さらには、文書管理部２５に保管してあった画像データの再プリントやＲＩＰ部１９、出力画像処理部１６の出力等のＭＦＰ内部で処理された画像信号なども含まれる。
【００３５】
次に、入力ジョブ制御部２２は、プロトコル解釈部２２−１とジョブ生成部２２−２から構成されている。入力デバイス管理部２１の入力デバイス制御部２１−１から送られてくる一連の操作要求は、コマンド（プロトコル）と呼ばれる命令信号で受信される。そして、プロトコル解釈部２２−１でその操作要求の内容が解釈されて、ＭＦＰ内部で理解できる操作手順に変換される。一方、ジョブ生成部２２−２は印刷ジョブ、スキャンジョブ、ＰＤＬ展開ジョブ、ファックス受信ジョブ等、様々なジョブを生成する。生成されたジョブは、ＭＦＰ内部でどのような処理を施して、どこに送られるか等、それぞれのシナリオが定義付けされており、そのシナリオに従ってＭＦＰ内部を流れる。
【００３６】
出力ジョブ制御部２３では、ジョブ解析部２３−１、バインダ解析部２３−２、ドキュメント解析部２３−３及び、ページ解析部２３−４において、ジョブの設定情報（俗に、ジョブチケットと呼ばれる）と画像情報が作成される。ジョブ解析部２３−１では、プリントする文書名や印刷部数、出力先の排紙トレイ指定、複数バインダで構成されるジョブのバインダ順などジョブ全体に関わる設定情報の詳細が解析される。バインダ解析部２３−２では、製本方式の設定やステープルの位置、複数ドキュメントで構成されるバインダのドキュメント順などバインダ全体に関わる設定情報の詳細が解析される。
【００３７】
ドキュメント解析部２３−３では、複数ページで構成されるドキュメントのページ順、両面印刷の指定、表紙や合紙の付加などドキュメント全体に関わる設定情報の詳細が解析される。ページ解析部２３−４では、印刷画像の解像度、印刷画像の向き（ランドスケープ／ポートレイト）等の各種設定ページ全体に関する設定情報の詳細が解析される。さらに、ＰＤＬデータが入力された場合には、ＲＩＰ部１９を呼び出してラスタライズ処理を施す。なお、画像情報を生成するに当たっては、ＲＩＰ部１９を呼び出して、ラスタライズ処理にてページ画像情報が生成される。ページ画像情報は、圧縮伸張部２６において圧縮された後、文書管理部２５に設定情報と関連付けされて格納される。
【００３８】
出力デバイス管理部２４は、出力デバイス制御部２４−１と、デバイス割り当て部２４−２とで構成されている。文書管理部２５に保存された画像情報は、圧縮伸張部２６にて伸張され、関連付けられていた設定情報と一緒に読み出される。そして、設定情報と画像情報は一対になって出力デバイス管理２４部に送られる。
【００３９】
デバイス割り当て部２４−２は、定義付けされたそれぞれのジョブのシナリオに基づいて、対応する出力デバイスを割り当てる。しかし、複数のジョブが同時に処理を進めるとデバイスの競合が発生するため、それを調停する役割を果たす。出力デバイス制御部２４−１は、プリンタ部１７、後処理部１８などのデバイスの利用をスケジューリングする。
【００４０】
次に、図３を用いて操作部１３について説明する。図３はＭＦＰの操作部１３を表しており、キー入力部３１とタッチパネル部３２から構成される。キー入力部３１とタッチパネル部３２の詳細を示したものが、図４及び、図５であり、以下にそれぞれの詳細を説明する。
【００４１】
まず、図４は、定常的な操作設定を行うことができるキー入力部分である。操作部電源スイッチ４０１は、スタンバイモード（通常動作状態）とスリープモード（メインコントローラが、ネットワークプリントやファクシミリなどに備えて割り込み待ち状態でプログラムを停止して、消費電力を抑えている状態）を切り替えるものである。これにより、システム全体の電源供給を行う主電源スイッチ（図示せず）がＯＮ状態で制御することができる。
【００４２】
節電キー４０４は、スタンバイモード時のプリンタ装置の定着器の制御温度を下げて、プリント可能な状態まで時間は要するが、消費電力を抑えるためことができるキーである。節電率の設定により定着器の制御温度を下げることもできる。スタートキー４０３は、コピーや送信などの開始を指示するキーであり、ストップキー４０２は、それを中断するキーである。
【００４３】
さらに、テンキー４１１は、各種設定の置数を行うためのキーであり、クリアキー４０７は、その置数を解除するためのキーである。ＩＤキー４０８は、ＭＦＰのユーザーを認証するために、予め設定された暗証番号を入力させるためのキーである。また、リセットキー４１２は、各種設定を無効にし、デフォルト状態に戻すためのキーである。ヘルプキー４１３は、ガイダンスやヘルプを表示させるためのキーであり、ユーザモードキー４１４は、ユーザごとのシステム設定画面に移行するためのキーである。
【００４４】
また、カウンタ確認キー４０５は、ＭＦＰ内に設けてあるプリント枚数などをカウントするソフトカウンタに記憶されている出力済み枚数を表示させるためのキーである。このキーにより、コピー／プリント／スキャン／ファックスなどの動作モード、カラー／白黒といった色モード、ラージ／スモールといった紙サイズなどに応じて、それぞれの出力済み枚数を表示させることができる。
【００４５】
さらに、画像コントラストダイヤル４０６は、タッチパネル部３２の液晶表示のバックライトを調光するなどして、画面の見易さを調整するためのダイヤルである。
【００４６】
実行／メモリランプ４１０は、ジョブの実行中やメモリへのアクセス中に点滅して知らせるランプである。エラーランプ４０９は、ジョブの実行ができない場合やサービスマンコールなどのエラー、あるいは、ジャムや消耗品切れなどを知らせるオペレータコールなどの際に点滅して知らせるランプである。
【００４７】
次に、図５は、ＬＣＤ（Liquid Crystal Display：液晶表示部）と、その上面に貼られた透明電極からなるタッチパネル部３２を表した模式図である。ＬＣＤに表示されるキー相当の部分の透明電極を指で触れると、それを検知して別の操作画面を表示するなど予めプログラムされている。図５は、スタンバイモード時の初期画面であり、設定操作に応じて様々な操作画面を表示することができる。
【００４８】
コピータブ５０１は、コピー動作の操作画面に遷移するためのタブキーであり、送信タブ５０２は、ファックスやＥ−ｍａｉｌ送信など送信（Send）動作を指示する操作画面に遷移するためのタブキーである。また、ボックスタブ５０３は、ボックス（ユーザごとにジョブを格納する記憶装置）にジョブを入出力操作するための画面に遷移するためのタブキーである。また、オプションタブ５０４は、スキャナ設定など拡張機能を設定するためのタブキーであり、システムモニタキー５１８は、ＭＦＰの状態や状況を表示するためのキーであり、各タブキーの選択によりそれぞれの操作モードに遷移することができる。
【００４９】
色選択設定キー５０５は、カラーコピー、白黒コピー、あるいは自動選択かを予め選択するためのキーである。倍率設定キー５０８は、等倍、拡大、縮小などの倍率設定を行う画面に遷移するキー、後処理設定キー５０９はステープルやパンチなどの有無、個数、位置などを設定する画面に遷移するキーである。更に両面設定キー５１５は、片面印刷か両面印刷かを選択する画面に遷移するキーであって、紙サイズ設定キー５１６は、給紙段や紙サイズ、メディアタイプを選択する画面に遷移するキーである。さらに画像モード設定キー５１２は、文字モードや写真モードなど原稿画像に適した画像モードを選択するためのキー、濃度設定キー５１１は、出力画像を濃くしたり薄くしたり調整するためのキーである。
【００５０】
次に、ステータス表示部５０６は、スタンバイ状態、ウォームアップ中、ジャム、エラー等の簡易的な状態表示を行う表示部であり、倍率表示部５０７は、倍率設定キー５０８で設定された倍率を表示する。さらに紙サイズ表示部５１７は、紙サイズ設定キー５１６で設定された紙サイズやモードを表示し、枚数表示部５１０は、テンキー４１１で指定された枚数を表示したり、動作中に何枚目を印刷中かを表示したりする。
【００５１】
更に、割り込みキー５１４は、コピー動作中に別のジョブを割り込ませる場合に利用し、応用モードキー５１３は、ページ連写、表紙や合紙の設定、縮小レイアウト、画像移動など様々な画像処理やレイアウトなどの設定を行う画面に遷移するためのキーである。
【００５２】
次に、１Ｄカラー系ＭＦＰ（Multi Function Peripheral:多機能周辺機器）の構成について、図６を用いて説明する。
【００５３】
１Ｄカラー系ＭＦＰは、スキャナ部６１、レーザ露光部６２、作像部６３、定着部６４、給紙／搬送部６５及び、これらを制御する不図示のプリンタ制御部から構成される。スキャナ部６１は、原稿台に置かれた原稿に対して、照明を当てて原稿画像を光学的に読み取り、その像を電気信号に変換して画像データを作成する。
【００５４】
レーザ露光部６２は、前記画像データに応じて変調されたレーザ光などの光線を等角速度で回転する回転多面鏡（ポリゴンミラー）６６に入射させ、反射走査光として感光ドラム６７に照射する。作像部６３は、感光ドラム６７を回転駆動し、帯電器によって帯電させ、前記レーザ露光部６２によって感光ドラム６７上に形成された潜像をトナーによって現像化する。そして、そのトナー像を印刷用紙に転写し、その際に転写されずに感光ドラム６７上に残った微小トナーを回収するといった一連の電子写真プロセスを実行して作像する。
【００５５】
その際、印刷用紙が転写ベルトの所定位置に巻きついて４回転する間に、マゼンタ（Ｍ）、シアン（Ｃ）、イエロー（Ｙ）、ブラック（Ｋ）のトナーを持つそれぞれの現像ユニット（現像ステーション）が入れ替わりで順次前述の電子写真プロセスを繰り返し実行する。４回転の後、４色のフルカラートナー像を転写された印刷用紙は、転写ドラム６９を離れ、定着部６４へ搬送される。定着部６４は、ローラやベルトの組み合わせによって構成され、ハロゲンヒータなどの熱源を内蔵し、前記作像部６３によってトナー像が転写された印刷用紙上のトナーを、熱と圧力によって溶解、定着させる。
【００５６】
給紙／搬送部６５は、印刷用紙カセットやペーパーデッキに代表される印刷用紙収納庫６８を一つ以上持っており、前記プリンタ制御部の指示に応じて印刷用紙収納庫６８に収納された複数の印刷用紙の中から一枚分離し、作像部６３及び定着部６４へ搬送する。印刷用紙は作像部６３の転写ドラム６９に巻きつけられ、４回転した後に定着部６４へ搬送される。４回転する間に前述のＹＭＣＫ各色のトナー像が印刷用紙に転写される。また、印刷用紙の両面に画像形成する場合は、定着部６４を通過した印刷用紙を再度作像部６３へ搬送する搬送経路７０を通るように制御する。
【００５７】
プリンタ制御部は、ＭＦＰ全体を制御するＭＦＰ制御部１４と通信して、その指示に応じて制御を実行すると共に、前述のスキャナ、レーザ露光、作像、定着、給紙／搬送の各部の状態を管理しながら、全体が調和を保って円滑に動作できるよう指示を行う。
【００５８】
次に、プリンタ制御部に関して説明する。電源ＯＦＦ状態から動作開始可能状態に至るまでの、各部の動作概要について説明する。まず、電源が投入されると、プリンタ制御部はスキャナ部６１、レーザ露光部６２、作像部６３、定着部６４、給紙／搬送部６５に対して準備動作の開始を指示する。そして、ＭＦＰ全体を管理するＭＦＰ制御部１４との通信開始を待つ。
【００５９】
ＭＦＰ制御部１４との通信が確立すると、お互いの機器仕様のやりとりを行う。その後、各部の準備動作が終了し画像形成動作が可能になると、動作可能状態であることをＭＦＰ制御部１４に通知する。プリンタ制御部は、ＭＦＰ制御部１４に対し、各部の機器状態を通知するが、その一例を挙げる。まず、給紙／搬送部６５は、印刷用紙収納庫６８に格納された印刷用紙のサイズ、印刷用紙収納庫６８に格納された印刷用紙の残量（積載量）、給紙／搬送部６５の動作状態（動作可能であるか、故障中であるか）を検知して、通知する。次に作像部６３は、トナー収容容器に収納されたトナーの量を通知する。
【００６０】
次に、動作開始可能状態において、動作指示が前記ＭＦＰ制御部１４から通知され、一連のプリント動作を実行して終了するまでの各部の動作概要を説明する。まず、前記ＭＦＰ制御部１４は、動作開始コマンドをプリンタ制御部へ通知する。プリンタ制御部は、動作開始コマンドを受信すると、レーザ露光部６２、作像部６３、給紙／搬送部６５、定着部６４へプリント動作開始を指示する。
【００６１】
レーザ露光部６２は、ポリゴンミラー６６を駆動するモータ（ポリゴンモータ）の回転を開始する。作像部６３は感光ドラム６７を回転駆動し、感光ドラム６７を帯電する。定着部６４は定着ヒータをオンし、印刷用紙上のトナーが印刷用紙に定着可能な温度に上昇させる。給紙／搬送部６５は、駆動手段（モータ）を搬送可能な状態とする。装置各部の動作準備が整うと、プリンタ制御部は、ＭＦＰ制御部１４に対し、準備完了を通知する。
【００６２】
ＭＦＰ制御部１４は、プリント制御部からの準備完了通知を受信すると、次にページ単位でプリント動作を指示する。ＭＦＰ制御部１４は、例えば１０ページ、２０部のプリントジョブであれば、これを２００ページのプリント動作指示を出す。プリント制御部は、プリント動作指示を受信すると、給紙／搬送部６５へ給紙指示を出す。給紙／搬送部６５は、印刷用紙が給紙可能であれば、印刷用紙を１枚給紙、搬送する。そして、印刷用紙が所定の位置に到達した時にプリント制御部へ所定位置に到達したことを通知する。
【００６３】
印刷用紙収納庫６８に印刷用紙がない場合など、給紙不可能であれば、給紙不可をプリント制御部へ通知する。また、給紙／搬送部６５は、搬送経路７０上に印刷用紙が重なった状態（重送状態）で搬送されていることを検知する重送検知センサや、印刷用紙の厚みを検知する厚さ検知センサなどを有する。これらのセンサが重送や異常状態を検知すると、給紙／搬送部６５は、給紙動作、搬送動作を中断し、プリント制御部へ異常を通知する。
【００６４】
プリント制御部は、その場合、ＭＦＰ制御部１４へ動作中断の理由、装置内に残留している印刷用紙の位置などを通知する。印刷用紙が正常に搬送され、所定位置に到達した場合、プリント制御部は、給紙／搬送部６５から印刷用紙の所定位置到達通知に応じて作像部６３へ作像開始を指示する。このタイミング制御によって、印刷用紙上にトナー像が転写される。定着部６４は定着部６４の温度を監視し、適切な定着温度になるよう制御している。しかし、印刷用紙が定着部６４より奪う熱量が大きい場合、定着部６４の温度が低下する場合がある。この場合、定着部６４はプリント制御部へ定着部６４の温度低下を通知するが、この通知を受けて、プリント制御部は印刷用紙の搬送間隔を空け、定着部６４がこれ以上温度低下しないようにする。
【００６５】
それでも定着部６４の温度が復帰しない場合、一旦動作を中断する。そして、温度の復帰後、動作を再開する制御を行う。プリント制御部は、全ての印刷用紙の排出が完了すると、動作停止を各部へ指示し、各部からの動作停止通知を受け、ＭＦＰ制御部１４へ動作終了を通知する。
【００６６】
図７は、インラインフィニッシャ部の構成を示す断面図である。
【００６７】
プリンタ部の定着部６４から排出された印刷用紙は、インラインフィニッシャ部が接続されている場合には、インラインフィニッシャ部に入る。インラインフィニッシャ部には、サンプルトレイ７０１及びスタックトレイ７０６があり、ジョブの種類や排出される印刷用紙の枚数に応じて切り替えて排出される。
【００６８】
ソート方式には２通りあり、複数のビンを有して各ビンに振り分けるビンソート方式と、電子ソート機能とビン（または、トレイ）を奥手前方向にシフトしてジョブ毎に出力される印刷用紙を振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。
【００６９】
次にグループ機能は、ソーティングがジョブ毎に振り分けるのに対し、ページ毎に仕分けする機能である。さらに、出力すべきジョブに対してステープルモードが設定されている場合には、スタックトレイ７０６に排出するよう制御する。その際には、印刷用紙がスタックトレイ７０６に排出される前に、印刷用紙をジョブ毎にフィニッシャ内部の処理トレイに順次蓄える。そして、前記の処理トレイ上にてステープラ７１０にてバインドして、その上で、スタックトレイ７０６へ、印刷用紙束を束で排出する。
【００７０】
その他、上記２つのトレイに至るまでに、紙をＺ字状に折るためのＺ折り機７０４、ファイル用の２つ（または３つ）の穴開けを行うパンチャ７０５があり、ジョブの種類に応じてそれぞれの処理を行う。例えば、出力すべきジョブに対する印刷用紙の処理に関する設定としてユーザにより操作部１３を介してＺ折り処理の設定がなされた場合には、そのジョブの記録紙に対してＺ折り機７０４により折り処理を実行させる。そして機内を通過させて、スタックトレイ７０６及びサンプルトレイ７０１等の排出トレイに排紙するよう制御する。
【００７１】
又、例えば、出力すべきジョブに対する印刷用紙の処理に関する設定としてユーザにより操作部１３を介してパンチ処理設定がなされた場合には、そのジョブの記録紙に対してパンチャ７０５によるパンチ処理を実行させる。その上で、機内を通過させて、スタックトレイ７０６及びサンプルトレイ７０１等の排出トレイに排紙するよう制御する。
【００７２】
さらに、サドルステッチャ７１４は、印刷用紙の中央部分を２ヶ所バインドした後に、印刷用紙の中央部分をローラに噛ませることにより印刷用紙を半折りし、パンフレットのようなブックレットを作成する処理（製本処理）を行う。
【００７３】
サドルステッチャ７１４で製本された印刷用紙はブックレットトレイ７１３に排出される。前記のサドルステッチによる製本処理等の印刷用紙の処理動作の実行可否も、上述の如く出力すべきジョブに対してユーザにより設定された印刷用紙の処理の設定に基づく。
【００７４】
また、インサータ７０３はインサートトレイ７０２にセットされた印刷用紙をプリンタへ通さずにスタックトレイ７０６及びサンプルトレイ７０１等の排出トレイのいずれかに送るためのものである。これによってインラインフィニッシャ部に送り込まれる印刷用紙（プリンタ部で印刷された印刷用紙）と印刷用紙の間にインサータ７０３にセットされた印刷用紙を挿入（中差し）することができる。インサータ７０３のインサートトレイ７０２にはユーザによりフェイスアップの状態でセットされるものとし、ピックアップローラにより最上部の印刷用紙から順に給送する。
【００７５】
従って、インサータ７０３からの印刷用紙はそのままスタックトレイ７０６またはサンプルトレイ７０１へ搬送することによりフェイスダウン状態で排出される。サドルステッチャ７１４へ送るときには、一度パンチャ側へ送り込んだ後スイッチバックさせて送り込むことによりフェースの向きを合わせる。尚、このインサータ７０３による印刷用紙の挿入処理等の印刷用紙の処理動作の実行可否も、上述の如く出力すべきジョブに対してユーザにより設定された印刷用紙の処理の設定に基づく。
【００７６】
次に、トリマ７０９（裁断機）について説明する。サドルステッチャ７１４においてブックレット（中綴じの小冊子）にされた出力は、このトリマ７０９に入ってくる。その際に、まず、ブックレットの出力はローラで予め決められた長さ分だけ紙送りされ、カッタ部７１２にて予め決められた長さだけ切断され、ブックレット内の複数ページ間でばらばらになっていた端部がきれいに揃えられる。そして、ブックレットホールド部７１１に格納される。尚、トリマ７０９による断裁処理等の印刷用紙の処理動作の実行可否も、上述の如く、出力すべきジョブに対してユーザにより設定された印刷用紙の処理の設定に基づく。
【００７７】
次に、本発明の特徴である動作を図８のフローチャートを用いて詳細に説明する。まず、上述したＭＦＰが複写機能あるいはネットワークプリント機能等の画像形成処理中にオペレータより操作部１３のストップキー４０２を押下される（Ｓ８０１）。ここで、ＭＦＰに複数のジョブが処理されている場合は、ストップキー４０２の代わりに図９に示すようなＬＣＤ上のジョブ状況画面９１にて、該当するジョブを選択し中止キー９２を押下してもよい。ここでジョブ状況画面９１はシステムモニタキー５１８を押下することで表示される。
【００７８】
次に、中止されたジョブが複数部の画像印刷処理かどうか判断され（Ｓ８０２）、複数部のジョブでなかった場合は即時中止処理が行われる（Ｓ８０３）。即時中止処理とは例えば、即時中止処理の指示が操作部１３からＭＦＰ制御部１４に伝わり、ＭＦＰ制御部１４では出力ジョブ制御部２３および出力デバイス管理部２４に即時中止処理の指示を伝える。そして、その指示を受けた出力ジョブ制御部２３および出力デバイス管理部２４は実行中のジョブに対してできるだけ早いタイミングで印刷ジョブを中止できるような処理を行う。例えば、出力ジョブ制御部２３においては、次ページの画像情報の生成を中止する。出力デバイス管理部２４においては、次ページの給紙を中止するようにプリンタ制御部に指示を与える。
【００７９】
一方、複数部数の印刷ジョブと判断された場合は、図１０に示すような中止処理選択画面１００１を表示する（Ｓ８０４）。この中止処理選択画面１００１に設けられた即時中止処理キー１００２及び部間中止処理キー１００３を用いて、オペレータは印刷ジョブの中止処理のタイミングを部間にするか即時にするかを選択する（Ｓ８０５）。
【００８０】
部間中止処理キー１００３が選択された場合、ＭＦＰは実行中の印刷ジョブに対して、部間中止処理を実行する（Ｓ８０６）。部間中止処理とは例えば、部間中止処理の指示が操作部１３からＭＦＰ制御部１４に伝わり、ＭＦＰ制御部１４では出力ジョブ制御部２３および出力デバイス管理部２４に部間中止処理の指示を伝える。その指示を受けた出力ジョブ制御部２３および出力デバイス管理部２４は実行中の印刷ジョブに対して、部の切れ目が来るまでそのまま処理を続け、部の切れ目が来たときに印刷ジョブの処理を中止する。
【００８１】
例えば、出力ジョブ制御部２３においては、画像情報の生成を部の切れ目にくるまで続け、部の切れ目がきたときに生成を中止するように制御する。出力デバイス管理部２４においては、部の切れ目になるまでプリンタ制御部と後処理部１８の動作をコントロールし、ステイプル等のフィニッシング処理まで完了するように動作させる。これらの動作により、複数部の画像形成処理中にどんなタイミングで中止キーが押下されても、部のまとまりまでの画像形成が保証される。
【００８２】
一方、即時中止処理キー１００２が選択された場合、ＭＦＰは実行中のジョブに対して、即時中止処理を実行する（Ｓ８０３）。この処理は上述したものと同様である。このように、画像形成処理中の中止処理指示において、複数部数の印刷処理の場合にオペレータは希望する中止処理を指示することが可能となり、オペレータの利便性を向上させることができる。
【００８３】
＜実施の形態２＞
次に、本発明の第２の実施の形態の動作を図１１のフローチャートを用いて詳細に説明する。まず、上述したＭＦＰが複写機能あるいはネットワークプリント機能等の画像印刷処理中にオペレータより操作部１３のストップキー４０２を押下される（Ｓ１１０１）。
【００８４】
ここで、ＭＦＰに複数のジョブが処理されている場合は、ストップキー４０２の代わりに図９に示すようなＬＣＤ上のジョブ状況画面９１にて、該当するジョブを選択し中止ボタンを押下してもよい。ここでジョブ状況画面９１はシステムモニタキー５１８を押下することで表示される。
【００８５】
次に、中止された印刷ジョブが複数部数を対象とした画像印刷処理かどうか判断され（Ｓ１１０２）、複数部数を対象とした印刷ジョブでなかった場合は即時中止処理が行われる（Ｓ１１０３）。即時中止処理とは、例えば、即時中止処理の指示が操作部１３からＭＦＰ制御部１４に伝わり、ＭＦＰ制御部１４では出力ジョブ制御部２３および出力デバイス管理部２４に即時中止処理の指示を伝える。
【００８６】
その指示を受けた出力ジョブ制御部２３および出力デバイス管理部２４は、実行中の印刷ジョブに対して、できるだけ早いタイミングでジョブを中止できるような処理を行う。例えば、出力ジョブ制御部２３においては、次ページの画像情報の生成を中止する。出力デバイス管理部２４においては、次ページの印刷用紙の給紙を中止するようにプリンタ制御部に指示を与える。
【００８７】
一方、複数部数を対象とした印刷ジョブと判断された場合は、図１０に示すような中止処理選択画面１００１を表示する（Ｓ１１０４）。
【００８８】
この中止処理選択画面１００１に設けられた即時中止処理キー１００２及び部間中止処理キー１００３を用いて、オペレータは印刷ジョブの中止処理のタイミングを、部間にするか、即時にするかを選択する（Ｓ１００５）。
【００８９】
部間中止処理キー１００３が選択された場合、ＭＦＰは実行中の印刷ジョブに対して、部間一時停止処理を実行する（Ｓ１１０６）。部間一時停止処理とは例えば、ＭＦＰ制御部１４が出力ジョブ制御部２３および出力デバイス管理部２４に部間一時停止処理の指示を伝える。その指示を受けた出力ジョブ制御部２３および出力デバイス管理部２４は実行中の印刷ジョブに対して、部の切れ目が来るまでそのまま印刷処理を続け、部の切れ目が来たときに印刷ジョブの処理を一時的に停止する。
【００９０】
例えば、出力ジョブ制御部２３においては、画像情報の生成を部の切れ目がくるまで続け、部の切れ目がきたときに生成を一時停止するように制御する。出力デバイス管理部２４においては、部の切れ目になるまでプリンタ制御部と後処理部１８の動作をコントロールし、ステイプル等のフィニッシング処理まで完了するように動作させる。
【００９１】
一方、オペレータによって部間の中止処理が選択された後、ＬＣＤには図１２に示すような部数変更画面１２０１を表示する（Ｓ１１０７）。この部数変更画面１２０１の表示はステップＳ１１０６で行われる一時停止処理の実行と並行して行われてもよい。
【００９２】
部数変更画面１２０１には部間中止処理をふまえて出力される部数が表示される。オペレータはこの部数を見て、部数を追加せずにそのまま処理を中止するのであれば、追加指定しないキー１２０３を押下する。あるいは、出力部数を増やしたいのであれば、追加指定するキー１２０２を押下する。
【００９３】
この場合、図１３に示すような部数指定画面１３０１が表示される。この画面には、（Ａ）に示すように予め印刷ジョブ投入したときに設定された印刷部数が表示されており、この部数の値をオペレータが再設定することで、出力印刷部数に変更をかけることができる。または、（Ｂ）に示すように部間中止処理をふまえて出力される印刷部数に対して、追加分の印刷部数を指定することも可能である（Ｓ１１０８）。
【００９４】
オペレータからの入力が終了すると、入力値が判断され（Ｓ１１０９）、それに応じた処理が行われる。例えば、ステップＳ１１０８にて、追加部数なしであった場合、ステップＳ１１０６にて一時停止状態であったＭＦＰはそのまま印刷ジョブの中止処理が行われ、動作が終了する（Ｓ１１１０）。一方、ステップＳ１１０８にて、追加部数指定があった場合、ステップＳ１１０６にて一時停止状態であったＭＦＰは指定された部数分だけ画像形成処理を再開し、その後印刷ジョブを終了する（Ｓ１１１１）。
【００９５】
このように、画像印刷処理中の中止処理指示において、複数部数の印刷処理の場合にオペレータの望む中止処理を指示することが可能となり、さらに印刷部数の増減が設定できる手段を設けることで、さらなるオペレータの利便性を向上させることができる。
【００９６】
このように、画像印刷処理中の中止処理指示において、複数部数の印刷処理の場合にオペレータの望む中止処理を指示することが可能となり、さらに印刷部数の増減が設定できる手段を設けることで、さらなるオペレータの利便性を向上させることができる。
【００９７】
尚、本実施形態に包含される構成の一例を以下に列挙する。例えば、本実施形態のように、ホストコンピュータ等の外部の情報処理装置から印刷対象のドキュメントデータを受信でき、且つ、リーダ部等の原稿読取手段からのドキュメントデータも受付け可能な印刷装置であるとする。このような、所謂、複合機能型の印刷装置の場合には、例えば、以下に列挙するような、複数種類のジョブを、上述の印刷の中止処理に関わる各種の制御の対象とする。
（1、外部からのプリントジョブ）
例えば、外部装置から受付けたジョブ等、外部装置が印刷データの発生源となるプリントジョブを、上述の印刷の中止処理に関わる各種の制御の対象とする。例えば、ホストコンピュータからプリントジョブを印刷させる場合には、次のような方法で印刷要求を受付可能に構成する。
【００９８】
例えば、ホストコンピュータのＣＰＵの制御のもと、前記のホストコンピュータの表示部に表示させる本印刷装置のプリンタドライバを介して、印刷すべきジョブの印刷開始要求を、前記のホストのユーザからの指示により受け付ける。このように、外部からのプリントジョブの印刷開始要求は、その外部装置のユーザインタフェースユニットを介して外部装置のユーザにより受付可能に制御する。そして、前記のホストコンピュータの印刷開始指示に従い、ホストコンピュータから印刷装置に印刷対象のプリントジョブのデータをネットワーク経由で送信させる。
【００９９】
このホストコンピュータから送信されるジョブのデータには、記録紙に印刷すべき原稿の画像データ、及び、そのデータの印刷条件データが関連づけて送信される。この印刷条件データには、印刷部数、片面印刷か両面印刷かの設定、レイアウト印刷の設定、ステイプル等のフィニッシィング設定等、を規定する各種の印刷処理条件パラメータが含まれている。そして、前記のホストコンピュータからのプリントジョブのデータを本印刷装置が受信すると、本印刷装置の制御部は、前記のプリントジョブの印刷データの印刷処理を、ジョブの印刷条件データに従って前記の印刷装置により実行させる。
（２、印刷装置自身で印刷対象の画像データを発生させるプリントジョブ）
例えば、原稿読取部で読取ったジョブ等、自装置が画像データ発生源となるプリントジョブも、上述の印刷の中止処理に関わる各種の制御の対象とする。例えば、本印刷装置が具備する原稿読取ユニットにより原稿画像データを読取ったプリントジョブを印刷させる場合には、次のような方法で印刷要求を受け付け可能に構成する。
【０１００】
例えば、リーダ部で読取ったプリントジョブの印刷開始要求は、本印刷装置のユーザインタフェースユニットを介して印刷装置のユーザにより受付け可能に制御する。印刷装置自身のユーザインタフェースユニットとしては、例えば、操作部やこの操作部に内蔵される表示部がこれに該当する。
【０１０１】
この際、例えば、本印刷装置が具備する制御部による制御のもとで、印刷装置の操作部から印刷すべきプリントジョブの印刷開始要求を、印刷装置のユーザからの指示により受け付け可能にする。且つ、印刷対象のジョブの上記のような各種の一連の印刷処理条件データを、印刷装置の操作部の表示部に表示させる印刷設定画面を介して印刷装置のユーザから受付可能に制御する。そして、前記のプリントジョブの印刷開始要求を印刷装置の操作部を介してユーザから受付けた事に応じて、制御部は、プリントジョブの印刷をプリントジョブの印刷条件データに従って印刷装置により実行させる。
【０１０２】
尚、本実施形態の如く、印刷装置がハードディスク等のメモリユニットを具備する構成ならば、次のように構成することが望ましい。例えば、リーダ部からのプリントジョブでも、外部装置からのプリントジョブでも、そのジョブの画像データを、本実施形態における印刷装置が具備するハードディスクに、記憶可能に構成する。そして、ハードディスクから印刷すべき画像データを読み出して印刷可能に制御する。
【０１０３】
このように、互いに複数ページの文書データで構成される複数のプリントジョブのデータを記憶可能なハードディスク等の、ある程度の記憶容量のある記憶部を印刷装置が具備する構成であることが望ましい。このような構成ならば、以下のような種類のジョブも制御対象とする事が可能となる。
（３、ボックス機能からのプリントジョブ）
ボックス機能とは、リーダ部からのジョブのデータ及び外部装置からのジョブのデータを、本印刷装置が具備するハードディスク等の記憶部のボックス領域に、ユーザからの指示により、保存可能にする。且つ、前記のボックス領域への画像データの記憶完了後に、印刷装置のユーザインタフェース部を介して入力されるユーザからの指示に従い、ボックスに記憶したデータの各種操作を可能とする。例えば、ボックスに文書を格納した後、印刷装置のユーザインタフェース部を介して、ユーザの所望のタイミングで且つユーザの所望の印刷形態で、何回でも、印刷や送信等のデータ出力を実行可能する。このようなボックス機能を利用するプリントジョブでも、上述の印刷の中止処理に関わる各種の制御の対象とする。
【０１０４】
以上のように、上述した印刷中止制御を、このような、互いに異なる機能の複数種類のジョブ（互いにデータ入力経路が異なる複数種類のジョブ）に対して実行可能に構成する。これにより、本実施形態の効果を更に向上する事も可能である。
【０１０５】
又、本実施形態では、主に、印刷対象のプリントジョブの印刷動作の中止要求を、本実施形態の印刷装置が具備するユーザインタフェースユニット（操作部や表示部）を介して本実施形態の印刷装置のユーザにより受付可能に制御する構成を説明した。しかし、上述した構成を前提として、以下のように構成することで、本実施形態の効果を更に向上させる事も可能である。
【０１０６】
例えば、印刷処理を中止すべきジョブの印刷中止要求を、外部装置のユーザインタフェース部を介して、この外部装置のユーザから受付可能に制御する。この一例を以下に説明する。
【０１０７】
例えば、ホストコンピュータのＣＰＵによる制御のもと、例えば、図９のユーザインタフェース画面のような、本印刷装置に投入した複数のプリントジョブに関するリストをコンピュータの表示部に表示させる。その上で、中止したいプリントジョブを、リストを介して、ホストコンピュータのユーザにより選択可能に制御する。そのうで、図１０のユーザインタフェース画面や図１２のユーザインタフェース画面や図１３のユーザインタフェース画面にて提供可能な機能と同等の機能を実行可能にするユーザインタフェース画面を、ホストコンピュータの表示部に表示可能に制御する。そして、各種所望の中止要求をホストコンピュータのユーザからホストコンピュータのユーザインタフェース部を介して受付可能にする。
【０１０８】
ホストコンピュータのユーザインタフェース部としては、ディスプレイ、キーボード、マウス等がこれに該当する。そして、印刷中止要求をホストコンピュータのユーザよりホストコンピュータのユーザインタフェース部を介して受付けた事に応じ、その指示を、ホストコンピュータから印刷装置に送信するようホストコンピュータのＣＰＵにより制御する。このような構成のもとで、上述した各種フローチャートの処理を、本印刷装置の制御部により実行するよう制御する。これにより、ホストコンピュータ等の遠隔の外部装置から、ホストコンピュータのユーザが望む印刷中止処理を、印刷装置により実行可能に制御する。
【０１０９】
以上のように、本実施形態にて印刷装置側にて提供できる各種の印刷中止制御処理を、本実施形態の印刷装置とは遠隔のコンピュータ等の外部装置からでも、遠隔操作可能に構成する。これにより、本実施形態の効果を更に向上させる事が出来る。
【０１１０】
尚、このように遠隔の外部装置から印刷対象のプリントジョブの印刷中止制御処理を実行させる場合、制御対象として取り扱うジョブは、上記のように、本印刷装置が受付けた全ての種類のプリントジョブから任意に指定可能に構成しても良い。或いは、その外部装置から受付けたプリントジョブのみ、中止制御対象のジョブとして、本実施形態にて提供する中止制御を実行する事を許可するように構成しても良い。このように、如何なる構成でも良い。但し、本実施形態の効果を確実に発揮すべく、少なくとも、以下の制御を実行可能に構成することを条件とする。
【０１１１】
例えば、フィニッシィングに関わる所定種類のシート処理の設定がユーザにより指示されたタイプのプリントジョブのみ、上記印刷中止制御を実行する事を許可する等の制御を実行する事は禁止する。このような所定種類のシート処理設定がなされたタイプのプリントジョブの一例としては、以下のようなジョブが存在する。例えば、プリンタ部にてプリント済の記録紙に対してステイプル処理を本システムのシート処理装置（フィニッシャとも称す）により実行すべきプリントジョブである。
【０１１２】
又例えば、プリンタ部からの記録紙に対してパンチ処理（穿孔処理）をシート処理装置により実行すべきプリントジョブである。又例えば、プリンタ部からの記録紙の製本処理をシート処理装置により実行すべきプリントジョブ等である。このように、例えば処理対象のジョブに含まれるオリジナルの原稿ページの合計が複数ページであり、且つ複数ページの印刷済みの複数枚のシートを、１部数部単位でまとめる必要があるジョブである。
【０１１３】
このように、所定種類のシート処理を本システムが具備するシート処理装置により実行させる必要が有るプリントジョブに対して、本実施形態の上記印刷中止制御を実行可能に、本実施形態にて構成する事は、勿論である。
【０１１４】
しかし、本実施形態では、このように、所定種類のフィニッシィング処理を実行する必要が有るプリントジョブには該当しない、これとは異なる種類のプリントジョブに対しても、上述の各種の印刷中止制御を実行可能に構成する。
【０１１５】
この制御の対象となるプリントジョブの一例を列挙する。例えば、プリンタ部からのシートに対するシート処理装置によるステイプル処理を実行させない非ステイプルプリントジョブである。例えば、上記パンチ処理を実行させない非パンチプリントジョブである。例えば、上記製本処理を実行させない非製本印刷ジョブである。勿論、如何なるソート処理（シートの仕分け処理）も実行せない種類のジョブに相当するノンソートジョブも、これに該当する。
【０１１６】
このようなタイプのプリントジョブを印刷中止させる場合でも、従来技術で想定したようなユーザニーズは発生しうると考える。故に、本印刷装置の制御部は、このような、所定種類のフィニッシィング処理を実行する必要が無いプリントジョブに対しても、上記の各種印刷中止制御の実行を禁止せずに許可する。換言すると、前記の制御部は、このような、所定種類のフィニッシィング処理を実行する必要が無いタイプのプリントジョブに対し、ユーザからの要求に応答して上記の各種印刷中止制御に関わる処理を実行可能に制御する。
【０１１７】
制御部は、印刷中止対象のプリントジョブが、所定種類のフィニッシィング処理を要するプリントジョブであるか否かに関係なく、印刷中止要求を指示するユーザからの要求に応じた、上記の印刷中止制御を実行可能に制御する。
【０１１８】
このように構成することで、従来技術で想定したような課題に対して対処できない等の不具合が発生するのを未然に防止できる。且つ、本実施形態の効果を確実に奏する事が可能となる等の効果を奏する。
【０１１９】
但し、本実施形態の印刷装置により取扱可能な如何なるジョブでも、全て、必ず上記の中止制御を実行可能に構成すると、操作性の悪化が懸念されるならば、以下のように構成しても良い。
【０１２０】
例えば、上記所定種類のフィニッシィング処理を要するプリントジョブであるか否かに関係なく、上記制御を実行するジョブの条件として、印刷対象のジョブの印刷すべき原稿データの原稿ページの合計枚数が複数ページである。且つ、印刷部数が複数部数のプリントジョブである事を条件とする。この条件に合致するプリントジョブに対して印刷中止要求がユーザによりなされた場合には、本実施形態の制御部により、次のように制御する。尚、この条件に合致するジョブの一例としては、例えば、合計５ページの文書データからなる一連の原稿データを、非ステイプルモードで、１０部、印刷させるジョブ等である。
【０１２１】
このケースの場合、制御部は、例えば、本実施形態の印刷システムにて実行可能な上記の複数種類の印刷中止処理方法を、本実施形態のユーザインタフェースユニットを介して、ユーザに提示する事を許可する。且つ、複数種類の印刷中止処理方法の中からユーザが所望の印刷中止処理方法を選択可能に制御する。且つユーザにより選択された印刷中止処理方法でもって、プリントジョブの印刷を中止するよう本実施形態の印刷装置を制御可能に構成する。
【０１２２】
他方、印刷中止要求がユーザによりなされたプリントジョブが、印刷部数が１部の非複数部数プリントジョブであるならば、例えば、制御部は以下のように制御する。本実施形態の印刷システムにて実行可能な上記の複数種類の印刷中止処理方法を、本実施形態のユーザインタフェースユニットを介して、ユーザに提示する事を禁止する。複数種類の印刷中止処理方法の中からユーザが所望の印刷中止処理方法を選択可能にする事を禁止する。ユーザにより印刷中止処理の選択を実行することなしに、自動的に、所定の種類の印刷中止処理方法でもって、プリントジョブの印刷を中止するよう本実施形態の印刷装置を制御可能に構成する。
【０１２３】
例えば、ステップＳ８０３の即時中止処理を実行させる。尚、本実施形態で述べる即時中止処理は、以下の少なくともいずれかを包含する。例えば、中止要求がなされたプリントジョブが現在、プリント中で、且つ、1枚の記録紙の紙面上に対して１ページ分の印刷を実行中ならば、その現在印刷中のページのみ印刷を完了させる。そのページの印刷が完了したタイミングで、そのジョブの印刷を直ちに中止させる。或いは、１ページ分の印刷が未完了でも、つまり、白紙領域が発生してでも、強制的に、直ちに、そのジョブの印刷を中止させる処理でも良い。
【０１２４】
尚、上述した一連の制御例は、ユーザから印刷中止要求のなされたプリントジョブが、所定種類のフィニッシィングを要するジョブであるのか否かに関係なく、このジョブが複数部数のジョブであるか否かに基いた選択的制御である。
【０１２５】
換言すると、例えば、ステイプル、パンチ、製本、折り、糊付け、断裁等の少なくとも何れかを含む、本システムが具備するシート処理装置による所定種類のシート処理を実行すべきプリントジョブに対して実行可能にする制御である。且つ、このような所定種類のシート処理をシート処理装置により実行させる必要の無いプリントジョブに対しても、実行可能にする制御である。
【０１２６】
この本実施形態の制御を更に換言すると、以下のように、本実施形態の印刷装置を制御する。
【０１２７】
例えば、本実施形態のユーザインタフェースユニットを介して入力されたユーザからの印刷中止要求により指定された印刷中止対象のプリントジョブが、要求がユーザにより入力された時点にて、既に、現在印刷中であるとする。且つ、ユーザにより印刷中止要求のなされたプリントジョブが、複数部数の印刷処理を要するプリントジョブであるとする。このようなケースの場合、プリントジョブが上記シート処理装置による上記所定種類のシート処理の実行を要するジョブであっても、所定種類のシート処理を実行する必要の無いジョブであっても、本実施形態の印刷装置の制御部は以下のように制御する。
【０１２８】
例えば、上記の本印刷装置にて実行可能な複数種類の印刷中止処理方法を、本実施形態のユーザインタフェースユニットを介して、上記印刷中止要求をなしたユーザに提示させる。このユーザインタフェース制御の一例は、上述したように、図１０や図１２や図１３の各種ユーザインタフェース画面を表示部に表示させる構成である。且つ、この複数種類の印刷中止方法に相当する複数の選択候補の中から、ユーザの所望の印刷中止処理方法を選択可能に制御する。そして、所望の候補がユーザにより選択された事に応じて、ユーザにより選択された種類の印刷中止処理方法でもって、中止要求がなされた上記プリントジョブの印刷中止処理を実行可能に制御する。
【０１２９】
他方、本実施形態のユーザインタフェースユニットを介して入力されたユーザからの印刷中止要求により指定された印刷中止対象のプリントジョブが、要求がユーザにより入力された時点にて、既に、現在印刷中であるとする。且つ、ユーザにより印刷中止要求のなされたジョブが、複数部数の印刷処理を実行しないプリントジョブであるとする。例えば、印刷部数が1部のみのプリントジョブ等が、印刷部数が所定部数のプリントジョブとして、これに該当する。このケースの場合、プリントジョブが上記シート処理装置による上記所定種類のシート処理の実行を要するプリントジョブであっても、所定種類のシート処理を実行する必要の無いプリントジョブであっても、本実施形態の印刷装置の制御部は以下のように制御する。
【０１３０】
例えば、上記の複数種類の印刷中止処理方法を本実施形態のユーザインタフェースユニットを介してユーザに提示する事を禁止する。ユーザが上記複数種類の印刷中止処理方法の中から印刷中止処理方法を選択する事無しに、自動的に、所定の種類の印刷中止処理方法でもって、中止要求がなされたプリントジョブの印刷中止処理を実行可能に制御する。
【０１３１】
尚、中止対象のジョブの印刷部数が何部であるのかの判断、プリントジョブが複数部数の印刷を要するジョブであるのか否かに関する判断を、本実施形態の印刷装置の制御部が行う場合、以下のように制御する。例えば、ユーザが印刷開始前に、そのジョブの為に本実施形態のユーザインタフェース部を介して設定した印刷条件データを、メモリから読出参照する事でこの判断を実行する。
【０１３２】
又、部の切れ目で印刷を中止するとは以下のような動作を意味する。例えば、３ページからなる文書データを、４部数分、片面印刷するジョブを受付けたとする。換言すると、このジョブは、３ページの各ページ毎に印刷を施した記録紙３枚を1セットとし、これを、合計４セット作成するジョブである。そして、このジョブの印刷中止要求がユーザによりユーザインタフェース部を介して入力されたとする。その要求の入力時点で、プリンタ部では、既に、このジョブの1部目の印刷は済んでおり、現在、ジョブの２部目の２ページ目の印刷を実行中であるとする。このケースの場合に、部の切れ目で印刷を中止する処理を実行するとする。換言すると、本実施形態のユーザインタフェースを介してユーザにより部間中止処理が要求されたとする。この場合、制御部は、次のような一連の処理をこのジョブの為に本実施形態の印刷装置により実行させる。
【０１３３】
例えば、制御部は印刷中止要求がなされた現時点にてプリンタ部にて印刷中の２部目の２頁目の印刷をプリンタ部により実行させる。且つ、２部目の３頁目の印刷もプリンタ部により実行させる。この２部目の３頁目の印刷をプリンタ部にて完了した時点で、ジョブの印刷を中止させる。換言すると、ジョブの３部目の1頁目〜３頁目の印刷、及び、ジョブの４部目の1頁目〜３頁目の印刷は、実行させない。
【０１３４】
このような一連の処理が、部の切れ目で印刷を中止する処理に該当する。尚、このケースの場合に、即時印刷中止処理を実行するとする。換言すると、本実施形態のユーザインタフェースを介してユーザにより即時中止処理が要求されたとする。この場合、制御部は、次のような一連の処理をジョブの為に本実施形態の印刷装置により実行させる。
【０１３５】
例えば、制御部は、印刷中止要求がなされた現時点にてプリンタ部にて印刷中の２部目の２頁目の印刷をプリンタ部により実行させる。この２部目の２頁目の印刷をプリンタ部にて完了した時点で、ジョブの印刷を中止させる。尚、この際、２部目の２頁目の印刷を全て完了するか、途中段階にて白紙出力とするかは、予め規定しておく。但し、少なくとも、このジョブの２部目の３部目の印刷の実行、３部目の1頁目〜３頁目の印刷の実行、４部目の1頁目〜３頁目の印刷の実行は全て禁止するよう制御する。このような一連の処理が、即時印刷中止処理に該当する。
【０１３６】
尚、部の切れ目で印刷を中止する方法としては、上記のように、現在印刷中の頁が属する部の切れ目で印刷を中止する方法がある。これ以外にも次のような方法がある。
【０１３７】
例えば、図１３のユーザインタフェースのように、あと何部印刷したら印刷を中止させるかを印刷中止要求をなしたユーザにより決定可能に制御する。且つ、ユーザインタフェースを介して入力された指示に従い、ユーザにより指定された部数分の印刷を完了させた時点で、そのジョブの印刷を中止させる方法もある。この方法だと、上記ケースにて、以下のような動作を本実施形態の印刷装置により実行させるよう制御部により制御する。
【０１３８】
例えば、ユーザにより上記ジョブを３部印刷した時点で中止する指示が要求されたとする。この場合、例えば、制御部は印刷中止要求がなされた現時点にてプリンタ部にて印刷中の２部目の２頁目の印刷をプリンタ部により実行させる。且つ、２部目の３頁目の印刷もプリンタ部により実行させる。更に、ジョブの３部目の1頁目〜３頁目の印刷も全て完了させる。この３部目の３頁目の印刷をプリンタ部にて完了した時点で、ジョブの印刷を中止させる。換言すると、ジョブの４部目の1頁目〜３頁目の印刷は実行させない。
【０１３９】
このような一連の処理を、部の切れ目で印刷を中止する方法に該当する、少なくとも２種類の中止処理方法の1方法として、上記方法とは独立して、印刷中止要求をなしたユーザからの要求に応答して、実行可能に制御している。
【０１４０】
このような各種制御を本実施形態にて実行可能に構成している。換言すると、以下のような制御を実行可能に構成している。
【０１４１】
例えば、本実施形態の制御部は、複数種類のプリントジョブを受付可能な本印刷装置を有する印刷システムにおけるジョブ処理方法として、以下に列挙する各制御を実行可能にする。
【０１４２】
例えば、本実施形態の印刷装置による印刷対象のプリントジョブの印刷中止要求を、ユーザインタフェース部を介して、ユーザから受付可能に制御する。且つ、印刷中止対象のプリントジョブが、複数部数の印刷を要するプリントジョブである場合に、本実施形態の印刷装置にて実行可能な複数種類の印刷中止処理方法のうちの、ユーザインタフェース部を介して入力されたユーザからの要求に基づいた印刷中止処理方法で、プリントジョブの印刷中止処理を本実施形態の印刷装置により実行可能に制御する。
【０１４３】
且つ、印刷中止対象のプリントジョブが複数部数の印刷が不要なプリントジョブである場合に、ユーザインタフェース部にて印刷中止処理方法をユーザが選択すること無しに、上記複数種類の印刷処理方法のうちの所定の印刷中止処理方法でプリントジョブの印刷中止処理を前記の印刷装置により実行可能する。
【０１４４】
しかも、印刷中止対象のプリントジョブが複数部数の印刷を要するプリントジョブである場合に、たとえジョブが上記シート処理装置による所定種類のシート処理を要するプリントジョブであっても、上記所定種類のシート処理が不要なプリントジョブであっても、本実施形態の印刷装置にて実行可能な複数種類の印刷中止処理方法のうちの上記ユーザインタフェース部を介して入力されたユーザからの要求に基づいた印刷中止処理方法で、プリントジョブの印刷中止処理を、本印刷装置により実行可能に制御する。
【０１４５】
且つ、印刷中止対象のプリントジョブが複数部数の印刷が不要なプリントジョブである場合に、たとえジョブが上記所定種類のシート処理を要するプリントジョブであっても、上記所定種類のシート処理が不要なプリントジョブであっても、上記ユーザインタフェース部にて印刷中止処理方法をユーザが選択すること無しに、上記複数種類の印刷処理方法のうちの、所定の印刷中止処理方法でもってプリントジョブの印刷中止処理を本実施形態の印刷装置により実行可能に制御する。
【０１４６】
尚、上述の所定の印刷中止処理方法は、例えば、即時印刷中止処理である。又、上述の所定種類のシート処理とは、例えば、ステイプル、パンチ、製本、折り、糊付け、断裁、の少なくとも何れかを含む、本実施形態のシステムが具備するシート処理装置により実行可能なシート処理の少なくとも何れかである。
【０１４７】
以上のように構成することで、本実施形態にて本来享受できる高い操作性が維持できない等の新たな問題が生じることもなく、本実施形態の効果を奏することが出来る。換言すると、上記で想定した懸念事項も未然解消される。例えば、如何なるタイプのジョブでも全て必ず上記のような各種ユーザインタフェースを表示させ、複数種類の中止処理の中から実行すべき中止処理を、中止要求を出したユーザ自身に、必ず選択させる構成を想定した場合の懸念事項である。このような構成では、常に印刷中止要求を行ったユーザに選択操作を要求してしまう。このように、本実施形態にて本来享受できる高い操作性が維持できない等の新たな問題が生じる事を防止可能となる。
【０１４８】
尚、これまでに詳述した実施形態１及び２を含む本実施形態にて説明した印刷中止制御に関わる全て、或いは、一部の処理や制御は、矛盾の生じない限り、適宜組み合わせ可能に構成している。換言すると、本実施形態にて享受可能な効果を最大限に発揮できる仕様であるならば如何なる構成に変更、応用、発展させても良い。
【０１４９】
以上、本発明の実施形態の各種の例を詳述したが、本発明は、例えばシステム、装置、方法、プログラム若しくは記憶媒体（記録媒体）等としての実施態様をとることが可能であり、具体的には、複数の機器から構成されるシステムに適用しても良いし、また一つの機器からなる装置に適用しても良い。
【０１５０】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが供給されたプログラムコードを読み出して実行することによっても達成される場合を含む。
【０１５１】
従って、本発明の機能処理をコンピュータで実現するために、このコンピューにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であっても良い。
【０１５２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）等がある。
【０１５３】
その他、プログラムの供給方法としては、クライアントコンピュータのブラウザを用いてインターネットのホームページに接続し、このホームページから本発明のコンピュータプログラムそのもの、もしくは圧縮され自動インストール機能を含むファイルをハードディスク等の記録媒体にダウンロードすることによっても供給できる。又、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５４】
又、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現する事も可能である。 
又、コンピュータが、読み出したプログラムを実行することによって、前述した実施形態の機能が実現される他、そのプログラムの指示に基づき、コンピュータ上で稼動しているＯＳなどが、実際の処理の一部又は全部を行い、その処理によっても前述した実施形態の機能が実現され得る。更に、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部又は全部を行い、その処理によっても前述した実施形態の機能が実現される。
【０１５５】
以上のような各点の具体例の一例としては、ホストコンピュータのプリンタドライバに関係して説明した上述の説明のとおりである。
【０１５６】
以上の実施形態のように構成することで、例えば、従来で想定したような状況にも対処できる。且つ、プリントジョブの印刷中止要求に関わる様々なユーザからの様々なニーズに対して、装置の利用環境等を加味しながら、柔軟に対応でき、使い勝手の良い、便利な印刷環境を構築できる。
【図面の簡単な説明】
【０１５７】
【図１】ＭＦＰの構成を説明するためのブロック図である。
【図２】ＭＦＰの制御部を説明するためのブロック図である。
【図３】操作部を説明するための模式図である。
【図４】操作部のキー入力部を説明するための模式図である。
【図５】操作部のタッチパネル部を説明するための模式図である。
【図６】ＭＦＰ（１Ｄカラー系）を説明するための断面図である。
【図７】後処理部を説明するための断面図である。
【図８】本発明の第１の実施形態を説明するためのフローチャートである。
【図９】本発明の第１の実施形態に係るユーザインターフェースの図である。
【図１０】本発明の第１の実施形態に係るユーザインターフェースの図である。
【図１１】本発明の第２の実施形態を説明するためのフローチャートである。
【図１２】本発明の第２の実施形態に係るユーザインターフェースの図である。
【図１３】本発明の第２の実施形態に係るユーザインターフェースの図である。
【符号の説明】
【０１５８】
１３  操作部
１４  ＭＦＰ制御部
１７  プリンタ部
１８  後処理部
１９  ＲＩＰ部
２３  出力ジョブ制御部
２４  出力デバイス管理部
４０２  ストップキー
５１８  システムモニタキー
９１  ジョブ状況画面
１００１  中止処理選択画面
１００２  即時中止処理キー
１００３  部間中止処理キー
１２０１  部数変更画面
１２０２  追加指定するキー
１２０３  追加指定しないキー
１３０１  部数指定画面
【図１】
2007102496.tif 000003
【図２】
2007102496.tif 000004
【図３】
2007102496.tif 000005
【図４】
2007102496.tif 000006
【図５】
2007102496.tif 000007
【図６】
2007102496.tif 000008
【図７】
2007102496.tif 000009
【図８】
2007102496.tif 000010
【図９】
2007102496.tif 000011
【図１０】
2007102496.tif 000012
【図１１】
2007102496.tif 000013
【図１２】
2007102496.tif 000014
【図１３】
2007102496.tif 000015